(57)【要約】      （修正有）【課題】接続された外部電子楽器の伴奏情報生成能力を最大限に発揮させ、当該外部電子楽器に即した音色データや伴奏データを設定することが可能な自動伴奏装置とそのプログラムを提供する。【解決手段】自動伴奏装置１の制御部４ａが、外部電子楽器１００の制御部１０５ａに対して、外部電子楽器１００に予め記憶されている音色データおよび伴奏データの一覧情報を自動伴奏装置１側に送信要求メッセージを送信すると、制御部１０５ａは、この一覧情報を自動伴奏装置１に送信する。制御部４ａは、この一覧情報を受信し、表示装置８上に表示する。表示装置８上の一覧表示から、ユーザが、好みのデータ（音色データと伴奏データのうち、少なくとも一方）を指定すると、指定データが、外部電子楽器１００のＲＡＭの所定位置に確保された音色/伴奏データ格納領域１０７ａに設定されるように外部電子楽器１００の伴奏情報生成部１０５ｂを制御する情報を送信する。【選択図】図３
2006145855.tif 000002
【特許請求の範囲】
【請求項１】
複数の音色データおよび／または伴奏データを予め記憶し、該記憶された複数の音色データおよび／または伴奏データから選択された音色データおよび／または伴奏データに基づいて伴奏情報を生成する外部電子楽器を接続し、該外部電子楽器と情報の送受信を行う接続手段と、
該接続手段を介して、前記外部電子楽器に記憶された音色データおよび／または伴奏データの一覧情報を取得する一覧情報取得手段と、
該一覧情報取得手段によって取得された一覧情報をユーザに提示する提示手段と、
該提示手段によって提示された一覧情報から、ユーザが選択した音色データおよび／または伴奏データを前記外部電子楽器に設定させるような制御情報を、前記接続手段を介して、前記外部電子楽器に送信する送信手段と
を有することを特徴とする自動伴奏装置。
【請求項２】
複数の電子楽器がそれぞれ予め記憶している複数の音色データおよび／または伴奏データの一覧情報を該各電子楽器に対応付けて記憶する記憶手段と、
複数の音色データおよび／または伴奏データを予め記憶し、該記憶された複数の音色データおよび／または伴奏データから選択された音色データおよび／または伴奏データに基づいて伴奏情報を生成する外部電子楽器を接続し、該外部電子楽器と情報の送受信を行う接続手段と、
該接続手段を介して、前記外部電子楽器の機器情報を取得する機器情報取得手段と、
該機器情報取得手段によって取得された機器情報に対応する一覧情報を前記記憶手段から読み出して、ユーザに提示する提示手段と、
該提示手段によって提示された一覧情報から、ユーザが選択した音色データおよび／または伴奏データを前記外部電子楽器に設定させるような制御情報を、前記接続手段を介して、前記外部電子楽器に送信する送信手段と
を有することを特徴とする自動伴奏装置。
【請求項３】
前記機器情報取得手段によって取得された機器情報に対応する一覧情報が、前記記憶手段に記憶されていなかった場合に、該一覧情報を当該外部電子楽器を含む外部から取得する一覧情報取得手段をさらに有することを特徴とする請求項２に記載の自動伴奏装置。
【請求項４】
前記記憶手段は、不揮発性の記憶手段であって、前記一覧情報取得手段によって取得された一覧情報を記憶することを特徴とする請求項３に記載の自動伴奏装置。
【請求項５】
音色指定データおよび／または伴奏指定データを含む曲データを再生する再生手段と、
複数の音色データおよび／または伴奏データを予め記憶し、該記憶された複数の音色データおよび／または伴奏データから選択された音色データおよび／または伴奏データに基づいて伴奏情報を生成する外部電子楽器を接続し、該外部電子楽器と情報の送受信を行う接続手段と、
該接続手段を介して、前記外部電子楽器に記憶された音色データおよび／または伴奏データの一覧情報を取得する一覧情報取得手段と、
該一覧情報取得手段によって取得された一覧情報から、前記再生手段によって再生された曲データに含まれる音色指定データおよび／または伴奏指定データに最も近い音色データおよび／または伴奏データを自動的に選択する選択手段と、
該選択手段によって選択された音色データおよび／または伴奏データを前記外部電子楽器に設定させるような制御情報を、前記接続手段を介して、前記外部電子楽器に送信する送信手段と、
前記再生手段によって再生された曲データの伴奏情報を、前記設定された音色データおよび／または伴奏データに基づいて生成するように、前記外部電子楽器を制御する制御手段と
を有することを特徴とする自動伴奏装置。
【請求項６】
音色指定データおよび／または伴奏指定データを含む曲データを再生する再生手段と、
複数の電子楽器がそれぞれ予め記憶している複数の音色データおよび／または伴奏データの一覧情報を該各電子楽器に対応付けて記憶する記憶手段と、
複数の音色データおよび／または伴奏データを予め記憶し、該記憶された複数の音色データおよび／または伴奏データから選択された音色データおよび／または伴奏データに基づいて伴奏情報を生成する外部電子楽器を接続し、該外部電子楽器と情報の送受信を行う接続手段と、
該接続手段を介して、前記外部電子楽器の機器情報を取得する機器情報取得手段と、
該機器情報取得手段によって取得された機器情報に対応する一覧情報を前記記憶手段から読み出す読み出し手段と、
該読み出し手段によって読み出された一覧情報から、前記再生手段によって再生された曲データに含まれる音色指定データおよび／または伴奏指定データに最も近い音色データおよび／または伴奏データを自動的に選択する選択手段と、
該選択手段によって選択された音色データおよび／または伴奏データを前記外部電子楽器に設定させるような制御情報を、前記接続手段を介して、前記外部電子楽器に送信する送信手段と、
前記再生手段によって再生された曲データの伴奏情報を、前記設定された音色データおよび／または伴奏データに基づいて生成するように、前記外部電子楽器を制御する制御手段と
を有することを特徴とする自動伴奏装置。
【請求項７】
前記機器情報取得手段によって取得された機器情報に対応する一覧情報が、前記記憶手段に記憶されていなかった場合に、該一覧情報を当該外部電子楽器を含む外部から取得する一覧情報取得手段をさらに有することを特徴とする請求項６に記載の自動伴奏装置。
【請求項８】
前記記憶手段は、不揮発性の記憶手段であって、前記一覧情報取得手段によって取得された一覧情報を記憶することを特徴とする請求項７に記載の自動伴奏装置。
【請求項９】
複数の音色データおよび／または伴奏データを予め記憶し、該記憶された複数の音色データおよび／または伴奏データから選択された音色データおよび／または伴奏データに基づいて伴奏情報を生成する外部電子楽器を接続し、該外部電子楽器と情報の送受信を行う接続手段を介して、前記外部電子楽器の機器情報を取得する機器情報取得ステップと、
複数の電子楽器がそれぞれ予め記憶している複数の音色データおよび／または伴奏データの一覧情報を該各電子楽器に対応付けて記憶する記憶手段から、前記機器情報取得ステップによって取得された機器情報に対応する一覧情報を読み出して、ユーザに提示する提示ステップと、
該提示ステップによって提示された一覧情報から、ユーザが選択した音色データおよび／または伴奏データを前記外部電子楽器に設定させるような制御情報を、前記接続手段を介して、前記外部電子楽器に送信する送信ステップと
を有する自動伴奏装置の制御方法を、コンピュータに実行させるプログラム。
【請求項１０】
音色指定データおよび／または伴奏指定データを含む曲データを再生する再生ステップと、
複数の音色データおよび／または伴奏データを予め記憶し、該記憶された複数の音色データおよび／または伴奏データから選択された音色データおよび／または伴奏データに基づいて伴奏情報を生成する外部電子楽器を接続し、該外部電子楽器と情報の送受信を行う接続手段を介して、前記外部電子楽器の機器情報を取得する機器情報取得ステップと、
複数の電子楽器がそれぞれ予め記憶している複数の音色データおよび／または伴奏データの一覧情報を該各電子楽器に対応付けて記憶する記憶手段から、前記機器情報取得ステップによって取得された機器情報に対応する一覧情報を読み出す読み出しステップと、
該読み出しステップによって読み出された一覧情報から、前記再生ステップによって再生された曲データに含まれる音色指定データおよび／または伴奏指定データに最も近い音色データおよび／または伴奏データを自動的に選択する選択ステップと、
該選択ステップによって選択された音色データおよび／または伴奏データを前記外部電子楽器に設定させるような制御情報を、前記接続手段を介して、前記外部電子楽器に送信する送信ステップと、
前記再生ステップによって再生された曲データの伴奏情報を、前記設定された音色データおよび／または伴奏データに基づいて生成するように、前記外部電子楽器を制御する制御ステップと
を有する自動伴奏装置の制御方法を、コンピュータに実行させるプログラム。
【発明の詳細な説明】
【技術分野】
【０００１】
本発明は、外部電子楽器を接続し、該外部電子楽器を介して伴奏を生成する自動伴奏装置およびその制御方法を実現するためのプログラムに関する。
【背景技術】
【０００２】
外部電子楽器を接続し、該外部電子楽器を介して伴奏を生成する自動伴奏装置は、従来から知られている。
【０００３】
このような自動伴奏装置として、自動伴奏機能を持たない楽音発生装置（電子楽器）を接続し、該楽音発生装置に、自動伴奏装置側で生成した伴奏情報を送出することにより、該楽音発生装置を介して伴奏を生成するようにしたものがある（たとえば、特許文献１参照）。
【特許文献１】特開昭６１−２９２６９１号公報
【発明の開示】
【発明が解決しようとする課題】
【０００４】
しかし、上記従来の自動伴奏装置では、伴奏音の発音は外部電子楽器側でなされるものの、伴奏情報の生成は自動伴奏装置側でなされるので、伴奏情報を生成する際に用いる伴奏データ（たとえば、伴奏スタイルデータ）は、外部電子楽器内に記憶されているものではなく、自動伴奏装置内に記憶されているものが使用されていた。したがって、外部電子楽器内に記憶されている伴奏データの方が、自動伴奏装置内に記憶されている伴奏データより、音楽的に豊かなものであったとしても、伴奏情報は、自動伴奏装置内の伴奏データを用いて生成されるので、この結果生成された伴奏情報は、外部電子楽器の伴奏情報生成能力を最大限に発揮させるものではなかった。
【０００５】
また、上記従来の自動伴奏装置では、接続された外部電子楽器が伴奏情報を生成できるとしても、当該外部電子楽器がどのような音色データや伴奏データを予め記憶しているのか自動伴奏装置側で知ることができなかったために、自動伴奏装置側で、当該外部電子楽器に即した音色データや伴奏データを設定することができなかった。
【０００６】
本発明は、この点に着目してなされたものであり、接続された外部電子楽器の伴奏情報生成能力を最大限に発揮させるとともに、自動伴奏装置側で、当該外部電子楽器に即した音色データや伴奏データを設定することが可能となる自動伴奏装置およびその制御方法を実現するためのプログラムを提供することを目的とする。
【課題を解決するための手段】
【０００７】
上記目的を達成するため、請求項１に記載の自動伴奏装置は、複数の音色データおよび／または伴奏データを予め記憶し、該記憶された複数の音色データおよび／または伴奏データから選択された音色データおよび／または伴奏データに基づいて伴奏情報を生成する外部電子楽器を接続し、該外部電子楽器と情報の送受信を行う接続手段と、該接続手段を介して、前記外部電子楽器に記憶された音色データおよび／または伴奏データの一覧情報を取得する一覧情報取得手段と、該一覧情報取得手段によって取得された一覧情報をユーザに提示する提示手段と、該提示手段によって提示された一覧情報から、ユーザが選択した音色データおよび／または伴奏データを前記外部電子楽器に設定させるような制御情報を、前記接続手段を介して、前記外部電子楽器に送信する送信手段とを有することを特徴とする。
【０００８】
上記目的を達成するため、請求項２に記載の自動伴奏装置は、複数の電子楽器がそれぞれ予め記憶している複数の音色データおよび／または伴奏データの一覧情報を該各電子楽器に対応付けて記憶する記憶手段と、複数の音色データおよび／または伴奏データを予め記憶し、該記憶された複数の音色データおよび／または伴奏データから選択された音色データおよび／または伴奏データに基づいて伴奏情報を生成する外部電子楽器を接続し、該外部電子楽器と情報の送受信を行う接続手段と、該接続手段を介して、前記外部電子楽器の機器情報を取得する機器情報取得手段と、該機器情報取得手段によって取得された機器情報に対応する一覧情報を前記記憶手段から読み出して、ユーザに提示する提示手段と、該提示手段によって提示された一覧情報から、ユーザが選択した音色データおよび／または伴奏データを前記外部電子楽器に設定させるような制御情報を、前記接続手段を介して、前記外部電子楽器に送信する送信手段とを有することを特徴とする。
【０００９】
請求項３に記載の自動伴奏装置は、請求項２の自動伴奏装置において、前記機器情報取得手段によって取得された機器情報に対応する一覧情報が、前記記憶手段に記憶されていなかった場合に、該一覧情報を当該外部電子楽器を含む外部から取得する一覧情報取得手段をさらに有することを特徴とする。
【００１０】
請求項４に記載の自動伴奏装置は、請求項３の自動伴奏装置において、前記記憶手段は、不揮発性の記憶手段であって、前記一覧情報取得手段によって取得された一覧情報を記憶することを特徴とする。
【００１１】
上記目的を達成するため、請求項５に記載の自動伴奏装置は、音色指定データおよび／または伴奏指定データを含む曲データを再生する再生手段と、複数の音色データおよび／または伴奏データを予め記憶し、該記憶された複数の音色データおよび／または伴奏データから選択された音色データおよび／または伴奏データに基づいて伴奏情報を生成する外部電子楽器を接続し、該外部電子楽器と情報の送受信を行う接続手段と、該接続手段を介して、前記外部電子楽器に記憶された音色データおよび／または伴奏データの一覧情報を取得する一覧情報取得手段と、該一覧情報取得手段によって取得された一覧情報から、前記再生手段によって再生された曲データに含まれる音色指定データおよび／または伴奏指定データに最も近い音色データおよび／または伴奏データを自動的に選択する選択手段と、該選択手段によって選択された音色データおよび／または伴奏データを前記外部電子楽器に設定させるような制御情報を、前記接続手段を介して、前記外部電子楽器に送信する送信手段と、前記再生手段によって再生された曲データの伴奏情報を、前記設定された音色データおよび／または伴奏データに基づいて生成するように、前記外部電子楽器を制御する制御手段とを有することを特徴とする。
【００１２】
上記目的を達成するため、請求項６に記載の自動伴奏装置は、音色指定データおよび／または伴奏指定データを含む曲データを再生する再生手段と、複数の電子楽器がそれぞれ予め記憶している複数の音色データおよび／または伴奏データの一覧情報を該各電子楽器に対応付けて記憶する記憶手段と、複数の音色データおよび／または伴奏データを予め記憶し、該記憶された複数の音色データおよび／または伴奏データから選択された音色データおよび／または伴奏データに基づいて伴奏情報を生成する外部電子楽器を接続し、該外部電子楽器と情報の送受信を行う接続手段と、該接続手段を介して、前記外部電子楽器の機器情報を取得する機器情報取得手段と、該機器情報取得手段によって取得された機器情報に対応する一覧情報を前記記憶手段から読み出す読み出し手段と、該読み出し手段によって読み出された一覧情報から、前記再生手段によって再生された曲データに含まれる音色指定データおよび／または伴奏指定データに最も近い音色データおよび／または伴奏データを自動的に選択する選択手段と、該選択手段によって選択された音色データおよび／または伴奏データを前記外部電子楽器に設定させるような制御情報を、前記接続手段を介して、前記外部電子楽器に送信する送信手段と、前記再生手段によって再生された曲データの伴奏情報を、前記設定された音色データおよび／または伴奏データに基づいて生成するように、前記外部電子楽器を制御する制御手段とを有することを特徴とする。
【００１３】
請求項７に記載の自動伴奏装置は、請求項６の自動伴奏装置において、前記機器情報取得手段によって取得された機器情報に対応する一覧情報が、前記記憶手段に記憶されていなかった場合に、該一覧情報を当該外部電子楽器を含む外部から取得する一覧情報取得手段をさらに有することを特徴とする。
【００１４】
請求項８に記載の自動伴奏装置は、請求項７の自動伴奏装置において、前記記憶手段は、不揮発性の記憶手段であって、前記一覧情報取得手段によって取得された一覧情報を記憶することを特徴とする。
【００１５】
上記目的を達成するため、請求項９および１０に記載のプログラムは、それぞれ、請求項２および６と同様の技術的思想によって実現できる。
【発明の効果】
【００１６】
請求項１に記載の発明によれば、接続手段を介して、外部電子楽器に記憶された音色データおよび／または伴奏データの一覧情報が取得され、該取得された一覧情報がユーザに提示され、該提示された一覧情報から、ユーザが選択した音色データおよび／または伴奏データを前記外部電子楽器に設定させるような制御情報が、前記接続手段を介して、前記外部電子楽器に送信されるので、当該外部電子楽器の伴奏情報生成能力を最大限に発揮させるとともに、自動伴奏装置側で、当該外部電子楽器に即した音色データおよび／または伴奏データを設定することが可能となる。
【００１７】
請求項２または９に記載の発明によれば、接続手段を介して、外部電子楽器の機器情報が取得され、該取得された機器情報に対応する一覧情報が記憶手段から読み出されて、ユーザに提示され、該提示された一覧情報から、ユーザが選択した音色データおよび／または伴奏データを前記外部電子楽器に設定させるような制御情報が、前記接続手段を介して、前記外部電子楽器に送信されるので、当該外部電子楽器の伴奏情報生成能力を最大限に発揮させるとともに、自動伴奏装置側で、当該外部電子楽器に即した音色データおよび／または伴奏データを設定することが可能となる。
【００１８】
請求項４または８に記載の発明によれば、前記記憶手段を不揮発性のものとし、その記憶手段に、前記取得された一覧情報を記憶するようにしたので、当該外部電子楽器と同じ外部電子楽器が次回接続されたときには、一覧情報の取得処理を行わなくても、前記記憶手段に記憶された一覧情報を読み出すだけでよいので、一覧情報を迅速に利用することができる。
【００１９】
請求項５に記載の発明によれば、接続手段を介して、外部電子楽器に記憶された音色データおよび／または伴奏データの一覧情報が取得され、該取得された一覧情報から、再生された曲データに含まれる音色指定データおよび／または伴奏指定データに最も近い音色データおよび／または伴奏データが自動的に選択され、該選択された音色データおよび／または伴奏データを前記外部電子楽器に設定させるような制御情報が、前記接続手段を介して、前記外部電子楽器に送信され、再生された曲データの伴奏情報を、前記設定された音色データおよび／または伴奏データに基づいて生成するように、前記外部電子楽器が制御されるので、当該外部電子楽器の伴奏情報生成能力を最大限に発揮させるとともに、自動伴奏装置側で、当該外部電子楽器に即した音色データおよび／または伴奏データを設定することが可能となる。また、前記再生された曲データに含まれる音色指定データおよび／または伴奏指定データに完全に一致する音色データおよび／または伴奏データが、前記取得された一覧情報に含まれていない場合でも、それに近い音色データおよび／または伴奏データが自動的に選択されるので、外部電子楽器側において、音色データおよび／または伴奏データの設定エラーをなくすことができる。
【００２０】
請求項６または１０に記載の発明によれば、接続手段を介して、外部電子楽器の機器情報が取得され、該取得された機器情報に対応する一覧情報が記憶手段から読み出され、該読み出された一覧情報から、再生された曲データに含まれる音色指定データおよび／または伴奏指定データに最も近い音色データおよび／または伴奏データが自動的に選択され、該選択された音色データおよび／または伴奏データを前記外部電子楽器に設定させるような制御情報が、前記接続手段を介して、前記外部電子楽器に送信され、再生された曲データの伴奏情報を、前記設定された音色データおよび／または伴奏データに基づいて生成するように、前記外部電子楽器が制御されるので、当該外部電子楽器の伴奏情報生成能力を最大限に発揮させるとともに、自動伴奏装置側で、当該外部電子楽器に即した音色データおよび／または伴奏データを設定することが可能となる。また、前記再生された曲データに含まれる音色指定データおよび／または伴奏指定データに完全に一致する音色データおよび／または伴奏データが、前記取得された一覧情報に含まれていない場合でも、それに近い音色データおよび／または伴奏データが自動的に選択されるので、外部電子楽器側において、音色データおよび／または伴奏データの設定エラーをなくすことができる。
【発明を実施するための最良の形態】
【００２１】
以下、本発明の実施の形態を図面に基づいて詳細に説明する。
【００２２】
図１は、本発明の第１の実施の形態に係る自動伴奏装置１の概略構成を示すブロック図である。
【００２３】
同図に示すように、自動伴奏装置１は、各種情報を入力するための複数のスイッチやテンキーを含むパネル操作子２と、パネル操作子２の操作状態を検出する検出回路３と、装置全体の制御を司るＣＰＵ４と、該ＣＰＵ４が実行する制御プログラムや、各種テーブルデータ等を記憶するＲＯＭ５と、伴奏情報、各種入力情報および演算結果等を一時的に記憶するＲＡＭ６と、タイマ割込み処理における割込み時間や各種時間を計時するタイマ７と、各種情報等を表示する、たとえば液晶ディスプレイ（ＬＣＤ）および発光ダイオード（ＬＥＤ）等を備えた表示装置８と、前記制御プログラムを含む各種アプリケーションプログラムや各種楽曲データ、各種データ等を記憶する外部記憶装置９と、外部から制御情報を入力したり、制御情報を外部に出力したりする制御インターフェース（Ｉ／Ｆ）１０と、通信ネットワーク２０１を介して、たとえばサーバコンピュータ（以下、「サーバ」と略して言う）２０２とデータの送受信を行う通信インターフェース（Ｉ／Ｆ）１１とにより構成されている。
【００２４】
上記構成要素３〜１１は、バス１２を介して相互に接続され、ＣＰＵ４にはタイマ７が接続され、制御Ｉ／Ｆ１０には外部電子楽器１００が接続され、通信Ｉ／Ｆ１１には通信ネットワーク２０１が接続されている。ここで、通信Ｉ／Ｆ１１および通信ネットワーク２０１は、有線方式のものに限らず、無線方式のものであってもよい。また、両方式のものを備えていてもよい。
【００２５】
外部記憶装置９としては、たとえば、フレキシブルディスクドライブ（ＦＤＤ）、ハードディスクドライブ（ＨＤＤ）、ＣＤ−ＲＯＭドライブおよび光磁気ディスク（ＭＯ）ドライブ等を挙げることができる。そして、外部記憶装置９には、前述のように、ＣＰＵ４が実行する制御プログラムも記憶でき、ＲＯＭ５に制御プログラムが記憶されていない場合には、この外部記憶装置９に制御プログラムを記憶させておき、それをＲＡＭ６に読み込むことにより、ＲＯＭ５に制御プログラムを記憶している場合と同様の動作をＣＰＵ４にさせることができる。このようにすると、制御プログラムの追加やバージョンアップ等が容易に行える。
【００２６】
制御Ｉ／Ｆ１０は、本実施の形態では、ＭＩＤＩ（Musical Instrument Digital Interface）メッセージを入出力するＭＩＤＩインターフェースを採用しているが、これに限らず、ＲＳ−２３２ＣやＵＳＢ（ユニバーサル・シリアル・バス）、ＩＥＥＥ１３９４（アイトリプルイー１３９４）等の汎用のインターフェースより構成してもよい。この場合、ＭＩＤＩメッセージ以外のデータをも同時に送受信してもよい。
【００２７】
通信Ｉ／Ｆ１１は、上述のように、たとえばＬＡＮ（Local Area Network）やインターネット、電話回線等の通信ネットワーク２０１に接続されており、該通信ネットワーク２０１を介して、サーバ２０２に接続される。外部記憶装置９に上記各プログラムや各種パラメータが記憶されていない場合には、通信Ｉ／Ｆ１１は、サーバ２０２からプログラムやパラメータをダウンロードするために用いられる。クライアントとなる自動伴奏装置１は、通信Ｉ／Ｆ１１および通信ネットワーク２０１を介してサーバ２０２へとプログラムやパラメータのダウンロードを要求するコマンドを送信する。サーバ２０２は、このコマンドを受け、要求されたプログラムやパラメータを、通信ネットワーク２０１を介して自動伴奏装置１へと配信し、自動伴奏装置１が通信Ｉ／Ｆ１１を介して、これらプログラムやパラメータを受信して外部記憶装置９に蓄積することにより、ダウンロードが完了する。
【００２８】
なお、本実施の形態では、自動伴奏装置１は、専用の装置上に構築されているが、これに限らず、自動伴奏プログラムを起動することにより、汎用的なパーソナルコンピュータ上に構築してもよい。
【００２９】
図２は、前記外部電子楽器１００の概略構成を示すブロック図である。
【００３０】
同図に示すように、外部電子楽器１００は、音高情報を入力するための鍵盤を含む演奏操作子１０１と、各種情報を入力するための複数のスイッチやテンキーを含むパネル操作子１０２と、演奏操作子１０１の操作状態を検出する検出回路１０３と、パネル操作子１０２の操作状態を検出する検出回路１０４と、装置全体の制御を司るＣＰＵ１０５と、該ＣＰＵ１０５が実行する制御プログラムや、各種テーブルデータ等を記憶するＲＯＭ１０６と、伴奏情報、各種入力情報および演算結果等を一時的に記憶するＲＡＭ１０７と、タイマ割込み処理における割込み時間や各種時間を計時するタイマ１０８と、各種情報等を表示する、たとえばＬＣＤおよびＬＥＤ等を備えた表示装置１０９と、前記制御プログラムを含む各種アプリケーションプログラムや各種楽曲データ、各種データ等を記憶する外部記憶装置１１０と、外部から制御情報を入力したり、制御情報を外部に出力したりする制御Ｉ／Ｆ１１１と、演奏操作子１０１から入力された演奏情報や生成された伴奏情報等を楽音信号に変換する音源回路１１２と、該音源回路１１２からの楽音信号に各種効果を付与するための効果回路１１３と、該効果回路１１３からの楽音信号を音響に変換する、たとえば、ＤＡＣ（Digital-to-Analog Converter）やアンプ、スピーカ等のサウンドシステム１１４とにより構成されている。
【００３１】
上記構成要素１０３〜１１３は、バス１１５を介して相互に接続され、ＣＰＵ１０５にはタイマ１０８が接続され、制御Ｉ／Ｆ１１１には自動伴奏装置１が接続され、音源回路１１２には効果回路１１３が接続され、効果回路１１３にはサウンドシステム１１４が接続されている。
【００３２】
外部記憶装置１１０としては、たとえば、ＦＤＤ，ＨＤＤ，ＣＤ−ＲＯＭドライブおよびＭＯドライブ等を挙げることができる。そして、外部記憶装置１１０には、前述のように、ＣＰＵ１０５が実行する制御プログラムも記憶でき、ＲＯＭ１０６に制御プログラムが記憶されていない場合には、この外部記憶装置１１０に制御プログラムを記憶させておき、それをＲＡＭ１０７に読み込むことにより、ＲＯＭ１０６に制御プログラムを記憶している場合と同様の動作をＣＰＵ１０５にさせることができる。このようにすると、制御プログラムの追加やバージョンアップ等が容易に行える。
【００３３】
制御Ｉ／Ｆ１１１は、本実施の形態では、前記制御Ｉ／Ｆ１０と同様に、ＭＩＤＩインターフェースを採用しているが、これに限らず、ＲＳ−２３２ＣやＵＳＢ，ＩＥＥＥ１３９４等の汎用のインターフェースより構成してもよい。この場合、ＭＩＤＩメッセージ以外のデータをも同時に送受信してもよい。
【００３４】
なお、外部電子楽器１００は、本実施の形態では、鍵盤楽器の形態のものを採用しているが、これに限らず、弦楽器タイプ、管楽器タイプ、打楽器タイプ等の形態でもよい。
【００３５】
また、本発明を実施できる最小限要素のみから構成した電子楽器以外の専用装置上に構築してもよい。あるいは、汎用的なパーソナルコンピュータ上に構築するようにしてもよい。
【００３６】
さらに、本実施の形態では、自動伴奏装置１側には、楽音信号を生成して発音する音源システム（音源回路、効果回路およびサウンドシステム）が設けられていないが、もちろん、音源システムを設けるようにしてもよい。また、本実施の形態では、外部電子楽器１００側には、通信Ｉ／Ｆが設けられていないが、もちろん、通信Ｉ／Ｆの設けられた電子楽器を外部電子楽器として、自動伴奏装置１の制御Ｉ／Ｆ１０に接続するようにしてもよい。
【００３７】
以上のように構成された自動伴奏装置１が実行する制御処理を、図３〜図７を参照して詳細に説明する。
【００３８】
図３は、自動伴奏装置１および外部電子楽器１００の各制御構成を示すブロック図である。なお、同図には、自動伴奏装置１が実行する制御処理を説明するのに必要な構成のみが図示されている。したがって、たとえば、自動伴奏装置１側には、伴奏情報生成部が図示されていないが、このことが直ちに、自動伴奏装置１は伴奏情報生成部を備えていないことを意味しない。
【００３９】
図３の各制御構成が実行する制御処理を説明する前に、該各制御構成が、図１および図３のハードウェアのどれに該当するかについて説明する。
【００４０】
制御部４ａは、ＣＰＵ４に対応し、曲データ６ａは、外部記憶装置９に記憶された複数の曲データ（たとえば、曲のメロディを生成するためのもの）のうち、ユーザによって指定されたものが読み出されて、ＲＡＭ６の所定位置に確保された曲データ格納領域（図示せず）に格納されたものに対応する。なお、表示装置８は、図１の表示装置８と同じものである。
【００４１】
また、制御部１０５ａおよび伴奏情報生成部１０５ｂは、ＣＰＵ１０５に対応し、音色／伴奏データ１０７ａは、後述するように、外部記憶装置１１０に記憶された複数の音色／伴奏データのうち、制御部４ａから送信された制御情報に応じた音色／伴奏データが読み出されて、ＲＡＭ１０７の所定位置に確保された音色／伴奏データ格納領域（図示せず）に格納されたものに対応する。なお、音源回路１１２は、図２の音源回路１１２と同じものである。
【００４２】
図４は、図３の制御部４ａが実行する一覧情報の表示＆選択処理の手順を示すフローチャートであり、本一覧情報の表示＆選択処理は、ユーザが、外部電子楽器１００に予め記憶されている音色データおよび伴奏データの一覧情報の表示を指示したときに起動される。
【００４３】
図４において、まず、一覧情報決定処理サブルーチンを実行する（ステップＳ１）。
【００４４】
図５は、一覧情報決定処理サブルーチンの詳細な手順を示すフローチャートである。
【００４５】
同図において、まず、前記制御Ｉ／Ｆ１０を介して、外部電子楽器１００側にＭＩＤＩのシステム・エクスクルーシヴ（System Exclusive）メッセージを送信する（ステップＳ１１）。このシステム・エクスクルーシヴメッセージには、外部電子楽器１００（のＲＯＭ１０６あるいは外部記憶装置１１０）に予め記憶されている音色データおよび伴奏データの一覧情報を自動伴奏装置１側に送信して欲しい旨のメッセージが記載されている。
【００４６】
このメッセージを受信した外部電子楽器１００（の制御部１０５ａ）は、前記制御Ｉ／Ｆ１１１を介して、外部電子楽器１００に予め記憶されている音色データおよび伴奏データの一覧情報を自動伴奏装置１に送信する。自動伴奏装置１の制御部４ａは、制御Ｉ／Ｆ１０を介して、音色データおよび伴奏データの一覧情報を受信する（ステップＳ１２）。受信した音色データおよび伴奏データの一覧情報は、たとえば、前記ＲＡＭ６の所定位置に確保された一覧情報格納領域（図示せず）に記憶される。
【００４７】
図４に戻り、制御部４ａは、受信した音色データおよび伴奏データの一覧情報を前記表示装置８上に表示する（ステップＳ２）。
【００４８】
図６は、保持している音色データの個数が異なる２種類の外部電子楽器から取得した音色データの一覧情報の表示例を示す図であり、同図（ａ）は、音色データを少数（たとえば、１２８種類）しか保持していない機種から取得した一覧情報の表示例を示し、同図（ｂ）は、音色データを多数（たとえば、３８４種類）保持している機種から取得した一覧情報の表示例を示している。なお、図示例では、各音色データは、バンクセレクト番号とプログラムチェンジ番号の組み合わせで指定するようにしているが、音色データの指定方法は、これに限られる訳ではない。また、音色データの表示は、音色名だけ表示するようにし、音色データを指定する情報（バンクセレクト番号およびプログラムチェンジ番号）を表示しないようにしてもよい。
【００４９】
図７は、保持している伴奏データ（伴奏スタイルデータ）の個数が異なる２種類の外部電子楽器から取得した伴奏データの一覧情報の表示例を示す図であり、同図（ａ）は、伴奏データを少数（たとえば、４種類）しか保持していない機種から取得した一覧情報の表示例を示し、同図（ｂ）は、伴奏データを多数保持している機種から取得した一覧情報の表示例を示している。なお、図示例では、各伴奏データは、カテゴリ番号とスタイル番号の組み合わせで指定するようにしているが、伴奏データの指定方法は、これに限られる訳ではない。また、伴奏データの表示は、伴奏スタイル名だけ表示するようにし、伴奏データを指定する情報（カテゴリ番号およびスタイル番号）を表示しないようにしてもよい。
【００５０】
なお、図６および図７では、取得した音色データおよび伴奏データの一覧情報を、音色データと伴奏データとで、別々に表示するようにしたが、これに限らず、同一画面上に同時に表示するようにしてもよい。また、一度にすべてを表示できない場合には、表示可能な一部のみ表示するようにし、ユーザが、たとえば前記パネル操作子２に設けられたスクロール操作子（図示せず）を操作することにより、画面から隠れた部分をスクロールさせて表示するようにすればよい。
【００５１】
図４に戻り、表示された音色データおよび伴奏データの一覧表示から、ユーザが、たとえばパネル操作子２のカーソルスイッチ（図示せず）を用いて、好みのデータ（音色データおよび伴奏データのうち、少なくとも一方）を指定するまで待ち（ステップＳ３）、ユーザが好みのデータを指定すると、この指定されたデータが音色／伴奏データ１０７ａとして設定されるように、外部電子楽器１００（の伴奏情報生成部１０５ｂ）を制御する制御情報を、外部電子楽器１００に送信する（ステップＳ４）。
【００５２】
このようにして、音色／伴奏データ１０７ａが設定された後、ユーザが伴奏情報生成のスタート指示を行うと、自動伴奏装置１の制御部４ａは、曲データ６ａの読み出し位置を示す読み出しポインタ（図示せず）の値を、所定時間が経過する毎に１ずつ移動させ、該読み出しポインタによって示される位置に曲データ６ａのイベントがある場合には、そのイベントを読み出し、読み出したイベントに基づいて制御情報を生成して外部電子楽器１００の伴奏情報生成部１０５ｂに送信する。
【００５３】
伴奏情報生成部１０５ｂは、制御部４ａから送信された制御情報および音色／伴奏データ１０７ａに基づいて、伴奏情報を生成する。
【００５４】
このように、本実施の形態では、接続された外部電子楽器に予め記憶されている複数の音色データおよび伴奏データの一覧情報を取得するようにし、取得した一覧情報から好みの音色データおよび伴奏データを外部電子楽器に設定するようにしたので、その外部電子楽器に即した音色データおよび伴奏データを設定することができる。
【００５５】
なお、本実施の形態では、音色データと伴奏データは、常に同時に選択されて設定されるようにしたが、これに限らず、どちらか一方のみ選択されて設定されるようにしてもよい。この場合、選択されない方のデータは、デフォルトのデータが設定されるようにすればよい。この事情は、次の第２の実施の形態でも、同様である。
【００５６】
次に、本発明の第２の実施の形態に係る自動伴奏装置１′を説明する。
【００５７】
本実施の形態の自動伴奏装置１′は、上記第１の実施の形態の自動伴奏装置１に対して、制御処理の仕方が異なるのみであるので、ハードウェアは、自動伴奏装置１と同様のもの、すなわち前記図１に記載のものをそのまま使用する。また、外部電子楽器１００も、前記図２に記載のハードウェアをそのまま使用する。
【００５８】
図８は、本実施の形態の自動伴奏装置１′および外部電子楽器１００の各制御構成を示すブロック図である。同図中、図３と同様の構成には同一符号を付して、その説明は省略する。
【００５９】
図８において、外部電子楽器１００は、図１の外部記憶装置９上に構築された一覧管理情報保持部９ａに、たとえば図９に示すような一覧管理情報を保持しておく。
【００６０】
図９の一覧管理情報には、機器情報に対応させて、その機器が予め保持している音色データおよび伴奏データの各一覧情報へのリンク情報（たとえば、アドレス）が記載され、各機器の音色データおよび伴奏データの各一覧情報は、それぞれ、外部記憶装置９の別の領域に記憶されている。
【００６１】
このような一覧管理情報を保持しておくことにより、接続された外部電子楽器１００の機器情報が分かれば、一覧管理情報から、その機器に対応する音色データおよび伴奏データの各一覧情報へのリンク情報が分かるので、そのリンク先にある、音色データおよび伴奏データの各一覧情報を取得できる。
【００６２】
したがって、自動伴奏装置１′の制御部４ａ′は、外部電子楽器１００の制御部１０５ａに対して、外部電子楽器１００の機器情報を要求している。
【００６３】
なお、本実施の形態では、機器情報として、メーカ名、機種名およびバージョンからなるものを例に挙げているが、機種を特定できる情報であれば、これに限らない。
【００６４】
次に、制御部４ａ′が実行する一覧情報の表示＆選択処理を説明する。
【００６５】
本一覧情報の表示＆選択処理は、前記図４のステップＳ１の一覧情報決定処理サブルーチン（図５）を図１０の一覧情報決定処理サブルーチンに変更することによって実現できる。したがって、図４のステップＳ１を除くステップＳ２〜Ｓ４の処理は、図４のものをそのまま用いることにして、その説明は省略する。
【００６６】
図１０において、まず、制御部４ａ′は、接続されている外部電子楽器１００に対して、その機器情報を要求する（ステップＳ２１）。具体的には、制御部４ａ′は、制御Ｉ／Ｆ１０を介して、ＭＩＤＩのデバイス・インクワィア（Device Inquire）メッセージを外部電子楽器１００側に送信する。これに対して、外部電子楽器１００は、制御Ｉ／Ｆ１１１を介して、自身の機器情報を自動伴奏装置１′側に返信する。
【００６７】
次に、制御部４ａ′は、外部電子楽器１００から機器情報を受信し（ステップＳ２２）、前記一覧管理情報保持部９ａが、受信した機器情報に対応した一覧管理情報のリンク情報を保持しているか否かを判別する（ステップＳ２３）。
【００６８】
ステップＳ２３の判別の結果、受信した機器情報に対応した一覧管理情報のリンク情報が保持されているときには、そのリンク情報を辿って、一覧情報を決定する（ステップＳ２５）一方、受信した機器情報に対応した一覧管理情報のリンク情報が保持されていないときには、前記図５のステップＳ１１およびＳ１２と同様の処理行うことにより、外部電子楽器１００から一覧情報を受信する。ただし、ステップＳ１１およびＳ１２の処理に代えて、一覧情報を、通信Ｉ／Ｆ１１および通信ネットワーク２０１を介して、サーバ２０２に要求し、これに応じて、サーバ２０２が送信した一覧情報を、通信Ｉ／Ｆ１１および通信ネットワーク２０１を介して受信するようにしてもよい。
【００６９】
続くステップＳ２４では、受信した一覧情報を外部記憶装置９に追加記憶するとともに、その一覧情報のリンク情報を機器情報に対応付けて、一覧管理情報保持部９ａの一覧管理情報中に追加記載した（ステップＳ２４）後、前記ステップＳ２５の処理に進んで、一覧情報を決定する。このように、受信した一覧情報およびそのリンク情報を、不揮発性メモリである外部記憶装置９に記憶することで、次回、同じ外部電子楽器が接続されたときには、再度ステップＳ１１およびＳ１２の処理を行わなくても、外部記憶装置９に記憶された一覧情報を読み出すだけでよいので、一覧情報を迅速に利用することができる。なお、不揮発性メモリは、外部記憶装置９に限らず、自動伴奏装置１′の電源を切ったときに不揮発なものであればよく、たとえば、フラッシュメモリや、電源バックアップされたＲＡＭなどを挙げることができる。
【００７０】
ステップＳ２５で決定された一覧情報は、図８に示すように、表示装置８に送信されて、表示装置８上に表示される。
【００７１】
これ以降の処理は、前記図４の対応する処理と同様であるので、その説明は省略する。
【００７２】
このように、本実施の形態では、複数の電子楽器にそれぞれ予め記憶されている複数の音色データおよび伴奏データの一覧情報を機器情報に対応付けて保持しておく一方で、接続された外部電子楽器の機器情報を取得するようにし、取得した機器情報に対応する一覧情報から、ユーザが好みの音色および伴奏を選択すると、その音色および伴奏にそれぞれ対応する音色データおよび伴奏データが外部電子楽器に設定されるので、その外部電子楽器に即した音色データおよび伴奏データを設定することができる。
【００７３】
図１１は、自動伴奏装置１′の制御部４ａ′が実行する曲データ再生処理の手順を示すフローチャートであり、本曲データ再生処理は、ユーザが曲データの再生操作に入ろうとするときに起動される。なお、本曲データ再生処理を詳細に説明する前に、その概要を説明する。
【００７４】
本曲データ再生処理は、ユーザが選択した曲データの再生中に、外部電子楽器１００内の音色データを指定（設定）する音色指定イベントや、外部電子楽器１００内の伴奏データを指定（設定）する伴奏指定イベントが再生され、その音色指定イベントおよび伴奏指定イベントにそれぞれ対応する音色データおよび伴奏データが、外部電子楽器１００内に予め記憶されていない場合、その音色データおよび伴奏データにそれぞれ代替する音色データおよび伴奏データを外部電子楽器１００に設定しようというものである。
【００７５】
図１１において、まず、前記図１０の一覧情報決定処理サブルーチンを実行することにより、一覧情報を決定する（ステップＳ３１）。なお、ステップＳ３１では、図１０の一覧情報決定処理サブルーチンに代えて、前記第１の実施の形態で用いた図５の一覧情報決定処理サブルーチンを実行するようにしてもよい。また、一覧情報決定処理サブルーチンは、本曲データ再生処理中で実行しなくても、たとえば、自動伴奏装置１′の電源投入時や、外部電子楽器１００を検出したときに実行するようにしてもよい。
【００７６】
次に、外部記憶装置９に記憶された複数の曲データから、ユーザが、たとえば図１のパネル操作子２を用いて、いずれかを選択すると、選択された曲データが読み出されて、ＲＡＭ６の所定位置に確保された曲データ格納領域（図示せず）に格納される。前記図８の自動伴奏装置１′の曲データ６ａは、この読み出された曲データである。
【００７７】
次に、ユーザが、たとえばパネル操作子２のスタートスイッチ（図示せず）を用いて、曲の再生開始を指示するまで待機し（ステップＳ３３）、再生開始が指示されると、前記図１のタイマ７が所定時間を計時するのに同期して、曲データ６ａに含まれるイベントを読み出す（ステップＳ３４）。
【００７８】
ステップＳ３４で読み出されたイベントの内容に従って、次の処理行う。すなわち、
（１）読み出しイベント≠音色／伴奏指定イベントの場合：読み出しイベントをそのまま外部電子楽器１００に送信（ステップＳ３８）
（２）読み出しイベント＝音色／伴奏指定イベント＆（かつ）指定イベントの内容は一覧情報中にある場合：読み出しイベントをそのまま外部電子楽器１００に送信（ステップＳ３８）
（３）読み出しイベント＝音色／伴奏指定イベント＆（かつ）指定イベントの内容は一覧情報中にない場合：代替の設定を指定するイベントを外部電子楽器１００に送信（ステップＳ３７）
の各処理を行う。ここで、音色／伴奏指定イベントではないイベントの例としては、たとえば、主旋律のパートのノートオン／オフイベントや、テンポイベントなどを挙げることができる。また、代替の設定を指定するイベントの例としては、たとえば、前記図７（ａ）に示す伴奏データを記憶している外部電子楽器１００が接続されていて、曲データ６ａから、外部電子楽器１００に記憶されていないチャチャチャ（Cha Cha Cha）の伴奏データ（カテゴリ番号：１，スタイル番号２）を指定するイベントが読み出された場合に、そのイベントの代わりをする、同じカテゴリ番号のボサノバ（Bossanova）の伴奏データ（カテゴリ番号：１，スタイル番号１）を指定するイベントを挙げることができる。
【００７９】
そして、曲データ６ａの最後のイベントが読み出されるまで、ステップＳ３４〜Ｓ３８の処理を繰り返す（ステップＳ３９）。
【００８０】
このように、本実施の形態では、音色／伴奏指定イベントが読み出され、読み出された音色／伴奏指定イベントに対応する音色／伴奏データが、接続された外部電子楽器に記憶されていない場合には、当該外部電子楽器に記憶されている音色／伴奏データであって、読み出された音色／伴奏指定イベントに対応する音色／伴奏データに類似する音色／伴奏データを指定する音色／伴奏指定イベントを代替イベントとして、当該外部電子楽器に送信するようにしたので、外部電子楽器にない音色／伴奏データを設定しようとした場合でも、エラーなく、近い音色／伴奏データが当該外部電子楽器に設定することができる。
【００８１】
なお、上述した各実施の形態では、一覧情報をユーザに提示する態様として、表示装置上の表示を例に挙げて説明したが、これに限らず、一覧情報を音声で読み上げる態様や、表示に加えて音声で読み上げる態様など、他の態様を用いてもよい。
【００８２】
また、上述した各実施の形態では、自動伴奏装置１，１′と外部電子楽器１００との間でやりとりされる情報は、主として、ＭＩＤＩメッセージのデータ形式を採用したが、もちろん、これに限られる訳ではない。
【００８３】
なお、上述した各実施の形態の機能を実現するソフトウェアのプログラムコードを記録した記憶媒体を、システムまたは装置に供給し、そのシステムまたは装置のコンピュータ（またはＣＰＵやＭＰＵ）が記憶媒体に格納されたプログラムコードを読出し実行することによっても、本発明の目的が達成されることは言うまでもない。
【００８４】
この場合、記憶媒体から読出されたプログラムコード自体が本発明の新規な機能を実現することになり、そのプログラムコードを記憶した記憶媒体は本発明を構成することになる。
【００８５】
プログラムコードを供給するための記憶媒体としては、たとえば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。また、通信ネットワークを介してサーバコンピュータからプログラムコードが供給されるようにしてもよい。
【００８６】
また、コンピュータが読出したプログラムコードを実行することにより、上述した各実施の形態の機能が実現されるだけでなく、そのプログラムコードの指示に基づき、コンピュータ上で稼働しているＯＳなどが実際の処理の一部または全部を行い、その処理によって上述した各実施の形態の機能が実現される場合も含まれることは言うまでもない。
【００８７】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した各実施の形態の機能が実現される場合も含まれることは言うまでもない。
【図面の簡単な説明】
【００８８】
【図１】本発明の第１の実施の形態に係る自動伴奏装置１の概略構成を示すブロック図である。
【図２】図１中の外部電子楽器の概略構成を示すブロック図である。
【図３】図１の自動伴奏装置および図２の外部記憶装置の各制御構成を示すブロック図である。
【図４】図３中の自動伴奏装置の制御部が実行する一覧情報の表示＆選択処理の手順を示すフローチャートである。
【図５】図４中の一覧情報決定処理サブルーチンの詳細な手順を示すフローチャートである。
【図６】保持している音色データの個数が異なる２種類の外部電子楽器から取得した音色データの一覧情報の表示例を示す図である。
【図７】保持している伴奏データの個数が異なる２種類の外部電子楽器から取得した伴奏データの一覧情報の表示例を示す図である。
【図８】本発明の第２の実施の形態に係る自動伴奏装置および外部電子楽器の各制御構成を示すブロック図である。
【図９】図８中の自動伴奏装置の一覧管理情報保持部に保持された一覧管理情報の一例を示す図である。
【図１０】図８中の自動伴奏装置の制御部が実行する一覧情報決定処理サブルーチンの詳細な手順を示すフローチャートである。
【図１１】図８中の自動伴奏装置の制御部が実行する曲データ再生処理の手順を示すフローチャートである。
【符号の説明】
【００８９】
４…ＣＰＵ（一覧情報取得手段、提示手段、送信手段、機器情報取得手段、再生手段、選択手段、制御手段、読み出し手段），８…表示装置（提示手段），９…外部記憶装置（記憶手段），１０…制御Ｉ／Ｆ（接続手段、送信手段）
【図１】
2006145855.tif 000003
【図２】
2006145855.tif 000004
【図３】
2006145855.tif 000005
【図４】
2006145855.tif 000006
【図５】
2006145855.tif 000007
【図６】
2006145855.tif 000008
【図７】
2006145855.tif 000009
【図８】
2006145855.tif 000010
【図９】
2006145855.tif 000011
【図１０】
2006145855.tif 000012
【図１１】
2006145855.tif 000013